(57)【要約】【課題】ブラケットを介したカメラへの接続に対応しつつ、部品点数を増やすことなく筐体が容易に開かないようにしたストロボ装置を提供する。【解決手段】２つの筐体１１、１２を接合して形成され、ブラケットを介してカメラに接続するためのねじ穴が形成されたナット体１８が筐体１１に設けられたストロボ装置であって、ナット体１８は、ねじ穴が一方の筐体１１の外側に露出した状態で一方の筐体１１の貫通穴１７に嵌め込まれ、一方の筐体１１の内側においてナット体１８に係合し、かつ、他方の筐体１２の内側に形成された爪２０に係合する係合金具１９が設けられたことを特徴とする。【選択図】図４
2008180915.tif 000002
【特許請求の範囲】
【請求項１】
２つの筐体を接合して形成され、ブラケットを介してカメラに接続するためのねじ穴が形成されたナット体と、前記筐体の内側において前記ナット体に係合する係合金具とが前記筐体に設けられたストロボ装置であって、
前記ナット体は、前記ねじ穴が前記筐体の外側に露出した状態で、一方の前記筐体に形成されている貫通穴に嵌め込まれ、前記係合金具は、他方の前記筐体の内側に形成されている爪に係合していることを特徴とするストロボ装置。
【請求項２】
前記ナット体は、基端側の小径胴部と自由端側のフランジ部とからなる小径部と、内周に前記ねじ穴が形成された大径部とからなり、
前記小径部は、前記貫通穴よりも小径に形成され、前記大径部は、前記貫通穴よりも大径に形成されており、
前記係合金具は、一端側に、先端が開口され前記ナット体の前記小径胴部に係合する止め輪部が、他端側には、他方の前記筐体の前記爪と係合する係合穴が、それぞれ形成されており、一端側から他端側にかけての途中位置で折り曲げられて一端側の前記止め輪部の開口方向が他端側の方向に揃えられた形状をしている
ことを特徴とする請求項１に記載のストロボ装置。
【請求項３】
前記係合金具は、前記ナット体と係合した状態を保持しつつ前記爪に対して係合／解除可能に撓むことを特徴とする請求項１もしくは２のいずれか一つに記載のストロボ装置。
【請求項４】
前記ナット体は、前記大径部の基端側に断面非円形の非円形部を有し、
前記貫通穴は、前記筐体の内側寄りが、前記非円形部が内嵌するよう前記非円形部の外形と略同一形状に形成されている
ことを特徴とする請求項２もしくは３のいずれか一つに記載のストロボ装置。
【請求項５】
前記ナット体には、前記大径部の自由端寄りの外周に溝が形成され、前記溝にはパッキンが設置されていることを特徴とする請求項２から４のいずれか一つに記載のストロボ装置。
【請求項６】
前記ナット体には、前記小径部の端面に凸部が形成され、前記係合金具には、前記凸部が対向する位置に前記凸部が係合する位置決め穴が設けられていることを特徴とする請求項２から５のいずれか一つに記載のストロボ装置。
【発明の詳細な説明】
【技術分野】
【０００１】
本発明は、カメラに外部から接続して使用するストロボ装置に関し、より詳しくは、アクセサリシューによらずブラケットを介してカメラに取り付けるためのねじ穴を筐体に備えたストロボ装置に関する。
【背景技術】
【０００２】
従来のストロボ装置は、図１０に示すように、発光面５１を備える発光部５２と、この発光部５２を支える本体部５５とを備え、本体部５５の下面にねじ穴５３を有する。このようなストロボ装置５０は、本体部５５の下面のねじ穴５３にブラケット５９の一端を取り付け、ブラケット５９の他端をカメラ６２の下面の三脚取り付け用ねじ穴６３に取り付けることにより、カメラ６２に取り付けられるようになっている。発光部５２は適宜、本体部５５に対して上下左右に照射角度が変更可能に支持される（例えば特許文献１参照）。
【０００３】
ところで、図１１に示すように、ストロボ装置５０の下部にカメラ６２への取り付けおよび接続のためのアクセサリシュー５８が設けられている場合、カメラ６２への取り付けは、本体部５５の側面のブラケット取り付け用ねじ穴６０に上記ブラケット５９を取り付けて行う。この場合、アクセサリシュー５８は別途ケーブル（不図示）にてカメラ６２に接続される。ブラケット取り付け用ねじ穴６０は、一般に、本体部５５を構成する樹脂製の筐体とは独立した金属製のナット体６４で構成される。
【０００４】
この構成では、ねじ穴６０を使用してストロボ装置をカメラに固定している時、落下する等して、なんらかの衝撃が加わると、ナット体６４に集中的に応力負荷がかかる。そうすると、ナット体６４そのものは強固に固定されていても、本体部５５は一般的に樹脂成型された筐体同士を接合した構造のため、本体部５５が撓んで筐体が接合部分で開いて分解するおそれがある。そこで、ナット体６４を設置した箇所に近接する位置において、筐体同士を繋ぐ係合金具（不図示）を別途設置するなどして対処していた。
【特許文献１】実開平７−１６９２９号公報
【発明の開示】
【発明が解決しようとする課題】
【０００５】
しかしながら、上記従来例の構成では、本体部５５の開き防止の係合金具を別途設置する必要があるため、部品点数が増え組立工数も増え面倒である。また、ナット体６４および係合金具の取り付けは一般的にはねじ止めが考えられるが、さらなる簡素化が求められる。
【０００６】
したがって、本発明は、ブラケットを介したカメラへの接続に対応しつつ、部品点数を増やすことなく筐体が容易に開かないようにしたストロボ装置を提供することを目的とする。
【課題を解決するための手段】
【０００７】
本発明のストロボ装置は、２つの筐体を接合して形成され、ブラケットを介してカメラに接続するためのねじ穴が形成されたナット体と、前記筐体の内側において前記ナット体に係合する係合金具とが前記筐体に設けられたストロボ装置であって、前記ナット体は、前記ねじ穴が前記筐体の外側に露出した状態で、一方の前記筐体に形成されている貫通穴に嵌め込まれ、前記係合金具は、他方の前記筐体の内側に形成されている爪に係合していることを特徴とする。
【０００８】
このようにすれば、係合金具が一方の筐体に取り付けられたナット体に係合するとともに、他方の筐体に形成された爪にも係合するので、ナット体の固定手段と２つの筐体の係合手段とが、一つの係合金具で達成できる。また、ナット体の固定と筐体の係合のいずれにおいてもねじ止めが不要で係合金具を係合させるだけで済む。したがって、部品点数を削減でき、しかもナット体および係合金具の取り付け作業が簡単で、それでいて筐体が容易に開くことのない優れたストロボ装置を提供することが可能となる。
【０００９】
また、前記ナット体は、基端側の小径胴部と自由端側のフランジ部とからなる小径部と、内周に前記ねじ穴が形成された大径部とからなり、前記小径部は前記貫通穴よりも小径に形成され、前記大径部は前記貫通穴よりも大径に形成され、前記係合金具は、一端側に、先端が開口され前記ナット体の前記小径胴部に係合する止め輪部が、他端側には他方の前記筐体の前記爪と係合する係合穴がそれぞれ形成され、一端側から他端側にかけての途中位置で折り曲げられて一端側の前記止め輪部の開口方向が他端側の方向に揃えられた形状をしていてもよい。
【００１０】
この場合、ナット体を筐体の貫通穴に入れる際、大径部が貫通穴より大径に形成されているので、ナット体の軸方向の位置決めが可能となり、また、開口を設けた止め輪部をナット体の軸方向に直交する方向からナット体の小径胴部に係合させることにより、ナット体のフランジと大径部との間に係合金具が係合し、ナット体が軸方向に外れないようにすることができる。そして、係合金具が折り曲げられて止め輪部の開口方向が他端側の方向に揃えられているので、両筐体が開く方向に力が掛かったとき、他方の筐体の爪により係合金具がその他端側に引っ張られ、係合金具の止め輪部の開口とは反対方向、すなわち止め輪部がナット体に嵌る方向に引っ張られることとなるので、筐体が開く力に対して係合金具により確実に固定されることとなる。
【００１１】
また、前記係合金具は、前記ナット体と係合した状態を保持しつつ前記爪に対して係合／解除可能に撓むように構成してもよい。この場合、両筐体を接合する際、両筐体が接合するまでの途中段階において、係合金具は爪に押されて筐体の内側方向に一時的に撓み、両筐体が完全に接合したときに爪が係合穴に嵌り、係合金具はその弾性によりもとの形状に戻り、係合穴と爪とが係合することとなる。また、逆に、係合金具と爪の係合の解除は、例えば係合金具に棒状の治具などを引っかけて係合金具を筐体の内側に弾性変形させることにより行うことができる。
【００１２】
また、前記ナット体は、前記大径部の基端側に断面非円形の非円形部を有し、前記貫通穴は、前記筐体の内側寄りが、前記非円形部が内嵌するよう前記非円形部の外形と略同一形状に形成されていてもよい。この場合、ナット体の大径部に形成した非円形部（例えば角柱部）によりナット体の回転方向の回り止めが可能となる。
【００１３】
また、前記ナット体には、前記大径部の自由端寄りの外周に溝が形成され、前記溝にはパッキンが設置されていてもよい。この場合、ナット体と一方の筐体の貫通穴との間において防滴を図ることができる。
【００１４】
また、前記ナット体には、前記小径部の端面に凸部が形成され、前記係合金具には、前記凸部が対向する位置に前記凸部が係合する位置決め穴が設けられていてもよい。この場合、筐体の接合前において係合金具とナット体の止め輪部とを係合させた状態において、係合金具が安定して位置決めされるので、係合金具の係合穴と他方の筐体の爪との位置関係がずれる心配がなく、筐体の接合がしやすくなる。
【発明の効果】
【００１５】
以上、説明したように、本発明のストロボ装置によれば、係合金具が一方の筐体に取り付けられたナット体に係合するとともに、他方の筐体に形成された爪にも係合するので、ナット体の固定手段と２つの筐体の係合手段とが、一つの係合金具で達成できる。また、ナット体の固定と筐体の係合のいずれにおいてもねじ止めが不要で係合金具を係合させるだけで済む。したがって、部品点数を削減でき、しかもナット体および係合金具の取り付け作業が簡単で、それでいて筐体が容易に開くことのない優れたストロボ装置を提供することが可能となる。
【発明を実施するための最良の形態】
【００１６】
本発明の実施の形態に係るストロボ装置について、図１から図９を用いて説明する。
ストロボ装置は、図１および図２に示すように、発光パネル４からの発光光を被写体に照射する発光部１と、この発光部１を上下方向に回転可能に支持する連結部２と、この連結部２および発光部１を左右方向に回転可能に支持する本体部３とで構成されている。本体部３は、内部に調光のための制御回路（不図示）などを備えており、電池蓋５内に電源としての乾電池を装填するようになっている。
【００１７】
アクセサリシュー６は、これに対応するホットシューを備えたカメラに接続、固定するものである。カメラ側がこのアクセサリシュー６に対応していない場合は、ねじ穴９を用いて固定する。すなわち、図３に示すように、本体部３の側面に設けられたねじ穴９に固定ねじ６１を用いてブラケット５９の一端を取り付け、他端をカメラ６２の下面のカメラ取り付け用ねじ穴６３（一般的には三脚用ねじ穴）に固定ねじ６５を用いて取り付ける。なお、この実施の形態では、ねじ穴９は非使用状態ではキャップ７により閉塞されている。
【００１８】
ここで、ねじ穴９を使用してストロボ装置をカメラに固定している時、落下する等して、なんらかの衝撃が加わると、ねじ穴９に集中的に応力負荷がかかり、その周辺の本体部３にねじれの力がかかるが、本体部３は樹脂成型品のため、撓んで筐体が開いてしまうおそれがある。そこで、ねじ穴９の取り付け構造に工夫を施している。以下、本体部３の構造につき詳細に説明する。
【００１９】
図４は本体部３の詳細を示す分解図である。本体部３は、第一の筐体１１と第二の筐体１２とを接合して構成され、第一の筐体１１に２箇所設けられた接片１３、１３と、第二の筐体１２とをねじ止めし、両筐体１１、１２の開口１４に別途アクセサリシュー６周辺の構造体８（図１参照）をねじ止めし、さらに第一の筐体１１の切り欠き１５および第二の筐体１２の切り欠き１６に電池ケースの枠体（不図示）が係合し、電池蓋５（図２参照）で閉塞するようになっている。
【００２０】
そして、第一の筐体１１において、貫通穴１７に上記のねじ穴９が形成されたナット体１８が挿通され、このナット体１８に第一の筐体１１の内側から係合金具１９を係合させてナット体１８を第一の筐体１１に固定するようになっており、さらに、係合金具１９が第二の筐体１２の爪２０にも係合するようになっている。以下、ナット体１８および係合金具１９の詳細を説明する。
【００２１】
ナット体１８は、図６および図７に示すように、大径部２１と小径部２２とを繋ぎ合わせた形状からなる金属の切削品で構成される。大径部２１は、基端側の角柱部（非円形部）２３と、自由端側の大径円筒部２４とからなり、角柱部２３は、最大外径が大径円筒部２４と同じの断面略正方形に形成されている。大径円筒部２４の内周には前記ねじ穴９となる雌ねじ２５が形成され、大径円筒部２４の外周にはパッキン２６（図５参照）を嵌め込むための溝２７が形成されている。小径部２２は、基端側の小径胴部２９と、自由端側のフランジ部２８とからなり、フランジ部２８は、前記角柱部２３の最小外径よりも僅かに小径に設定されており、小径胴部２９はフランジ部２８よりもさらに小径に設定されている。小径部２２の自由端における端面中央には凸部３０が形成されている。
【００２２】
係合金具１９は、図８および図９に示すように、打ち抜いた金属板を折り曲げた成型品であり、一端側に前記ナット体１８の小径胴部２９に係合する止め輪部３１が形成され、途中で１８０°だけ反転するように折り曲げられた第一の折曲部３２を経て他端側に第二の筐体１２の爪２０に係合する係合穴３３が形成されている。係合穴３３からさらに他端側にかけて前記１８０°の折曲部とは反対側に９０°折り曲げられた第二の折曲部３４を経て解除用穴３５が形成されている。止め輪部３１の先端には開口３６が設けられており、ナット体１８の小径胴部２９に軸方向に直交する方向から係合するようになっている。第一の折曲部３２から係合穴３３にかけての途中位置において、止め輪部３１の中心に対向する位置に前記ナット体１８の凸部３０が係合し位置決めされる位置決め穴３７が設けられ、ナット体１８を挿通する際にナット体１８の凸部３０が位置決め穴３７にスムーズに嵌るよう、位置決め穴３７の周辺が切り欠かれて柔軟性を持たせた接片３８として形成されている。
【００２３】
第一の筐体１１の貫通穴１７は、図４および図５に示すように、第一の筐体１１の内側寄りを角穴３９に、第一の筐体１１の外側寄りを丸穴４０に、それぞれ形成されており、角穴３９はナット体１８の角柱部２３が内嵌するよう角柱部２３の外形と略同一形状であり、丸穴４０はナット体１８の大径円筒部２４が内嵌するよう大径円筒部２４の外形と略同一形状である。このような貫通穴１７にナット体１８を挿通することで、大径円筒部２４の端面４１が角穴３９の端面４２に当接し、ナット体１８が軸方向に位置決めされ、角穴３９にナット体１８の角柱部２３が内嵌することで、ナット体１８が回り止めされる。この状態で、係合金具１９の止め輪部３１をナット体１８の小径胴部２９に係合させることで、ナット体１８は貫通穴１７に固定される。なお、ナット体１８の凸部３０が係合金具１９の位置決め穴３７に嵌ることで、係合金具１９とナット体１８の係合位置がずれるのを防止しており、また、ナット体１８の大径円筒部２４の外周の溝２７にパッキン２６を設置し、貫通穴１７とナット体１８との隙間において防滴を図っている。
【００２４】
この状態で、第一の筐体１１と第二の筐体１２とを接合面で接合すると、係合金具１９の係合穴３３が第二の筐体１２の爪２０に係合し、この位置にて両筐体１１、１２は離間不能に固定される。係合金具１９は弾性を有しており、両筐体１１、１２が接合するまでの途中段階において、係合金具１９は第二の筐体１２の爪２０に押されて筐体の内側方向に一時的に撓み、両筐体１１、１２が完全に接合したときに爪２０が係合穴３３に嵌り、係合金具１９はその弾性によりもとの形状に戻り、係合穴３３と爪２０とが係合することとなる。係合穴３３と爪２０の係合の解除は、各筐体１１、１２の開口１４から棒状の治具（不図示）などを挿通し、治具を係合金具１９の解除用穴３５に引っかけて係合金具１９を筐体の内側に弾性変形させることにより行う。
【００２５】
以上の構成によれば、係合金具１９が一方の筐体１１に取り付けられたナット体１８に係合するとともに、他方の筐体に形成された爪２０にも係合するので、ナット体１８の固定手段と２つの筐体１１、１２の係合手段とが、一つの係合金具１９で達成できる。また、ナット体１８の固定と筐体の係合のいずれにおいてもねじ止めが不要で係合金具１９を係合させるだけで済む。したがって、部品点数を削減でき、しかもナット体１８および係合金具１９の取り付け作業が簡単で、それでいて筐体が容易に開くことのない優れたストロボ装置を提供することが可能となる。
【００２６】
また、係合金具１９が第一の折曲部３２にて折り曲げられて、止め輪部３１の開口方向が係合金具１９の他端側の方向に揃えられているので、両筐体１１、１２が開く方向に力が掛かったとき、第二の筐体１２の爪２０により係合金具１９がその他端側に引っ張られ、係合金具１９の止め輪部３１の開口３６とは反対方向、すなわち止め輪部３１がナット体１８に嵌る方向に引っ張られることとなるので、筐体が開く力に対して係合金具１９により確実に固定されることとなる。
【００２７】
なお、本発明はもちろん、上述した実施の形態に限定されるものではなく、その他、あらゆる用途に適用可能である。
【産業上の利用可能性】
【００２８】
本発明は、アクセサリシューによらずブラケットを介してカメラに取り付けるためのねじ穴を筐体に備えた単体のストロボ装置として好適である。
【図面の簡単な説明】
【００２９】
【図１】本発明の実施の形態に係るストロボ装置の全体斜視図
【図２】同実施の形態に係るストロボ装置の別の角度からの全体斜視図
【図３】同実施の形態に係るストロボ装置のカメラへの取り付けを示すイメージ図
【図４】同実施の形態に係るストロボ装置の本体部の分解斜視図
【図５】図１のＡ−Ａ’矢視断面図
【図６】同実施の形態に係るナット体の斜視図
【図７】同実施の形態に係るナット体の別の角度からの斜視図
【図８】同実施の形態に係る係合金具の斜視図
【図９】同実施の形態に係る係合金具の別の角度からの斜視図
【図１０】従来のストロボ装置のカメラへの取り付けを示すイメージ図
【図１１】他の従来のストロボ装置のカメラへの取り付けを示すイメージ図
【符号の説明】
【００３０】
１      発光部
２      連結部
３      本体部
４      発光パネル
５      電池蓋
６      アクセサリシュー
９      ねじ穴
１１    第一の筐体
１２    第二の筐体
１７    貫通穴
１８    ナット体
１９    係合金具
２０    爪
２１    大径部
２２    小径部
２３    角柱部
２４    大径円筒部
２５    雌ねじ
２８    フランジ部
２９    小径胴部
３１    止め輪部
３２    第一の折曲部
３３    係合穴
３４    第二の折曲部
３５    解除用穴
３６    開口
３９    角穴
４０    丸穴
【図１】
2008180915.tif 000003
【図２】
2008180915.tif 000004
【図３】
2008180915.tif 000005
【図４】
2008180915.tif 000006
【図５】
2008180915.tif 000007
【図６】
2008180915.tif 000008
【図７】
2008180915.tif 000009
【図８】
2008180915.tif 000010
【図９】
2008180915.tif 000011
【図１０】
2008180915.tif 000012
【図１１】
2008180915.tif 000013